(57)【要約】【課題】  極めて経済的かつ簡便にハナビラタケ菌床を提供すること。【解決手段】  広葉樹木材を主成分とする大鋸屑又はチップ、もしくはこれらを含む混合物にカラマツ等の針葉樹の抽出液を混合し、蒸煮乾燥処理をすることなく培地としたことを特徴とするハナビラタケ人工栽培用の菌床。培地に栄養成分を加えることを特徴とする。容器に充填した形態であることを特徴とする。菌床にハナビラタケの菌株を接種し、栽培してハナビラタケの子実体を収穫するハナビラタケの栽培方法。【選択図】        なし【特許請求の範囲】
【請求項１】
広葉樹木材を主成分とする大鋸屑又はチップ、もしくはこれらを含む混合物にカラマツ等の針葉樹の抽出液を混合し、蒸煮乾燥処理をすることなく培地としたことを特徴とするハナビラタケ人工栽培用の菌床。
【請求項２】
培地に栄養成分を加えることを特徴とする請求項１のハナビラタケ人工栽培用の菌床。
【請求項３】
容器に充填した形態である請求項１または２のハナビラタケ人工栽培用の菌床。
【請求項４】
請求項１、２または３の菌床にハナビラタケの菌株を接種し、栽培してハナビラタケの子実体を収穫するハナビラタケの栽培方法。
【発明の詳細な説明】
【技術分野】
【０００１】
この出願の発明は、ハナビラタケの栽培に用いられていたカラマツ大鋸屑等の蒸煮乾燥処理を要しない、広葉樹鋸屑あるいはチップを基材とし針葉樹抽出液を使用する、幻のきのこと呼ばれるハナビラタケの人工栽培用の菌床、およびそれを用いるハナビラタケの栽培方法に関する。
【背景技術】
【０００２】
カラマツに生えるきのこの一つにハナビラタケがあり、別名ハナビラマイタケとも称されている。このハナビラタケは、非常に僅少であるが、歯ごたえがよく、何よりも、その純白の色合いと、葉牡丹のような形態が貴重な食材として注目されている。ハナビラタケは成長が遅く、人工栽培は非常に困難である。天然のハナビラタケは、広葉樹には発生が認められず、針葉樹でも、やや朽ちかけたカラマツ材からの発生が一般的である。ハナビラタケの菌糸が生育し、なおかつ発茸に至るためには、針葉樹の成分が必要であるが、新鮮な針葉樹の中には成長を阻害する成分も含まれており、産業的に栽培を行うためには、短期間で、成長阻害成分を除去する必要がある。
【０００３】
特許文献１記載の発明は、短期間でハナビラタケを栽培するための手段として、カラマツ材を成分とする大鋸屑又はチップもしくはこれらを含む混合物を水の存在下で加熱し、熱水可溶成分を除去した後、栄養成分を加えることを特徴とするハナビラタケ人工栽培用の菌床作成方法を提案している。しかし、この阻害物質を除去するための特別の工程が必要である。
【０００４】
また、ハナビラタケの優れた免疫賦活作用を有する生理活性物質として知られる総βグルカンの含有量は、１００ｇ当り４３．６ｇである。総ベータグルカン含有量の多い茸として知られるアガリクスやマイタケでも、その総ベータグルカン含有量は、夫々１００ｇ当り１１．６ｇ、１８．１ｇであることと比較すれば、ハナビラタケに含まれる含有量が驚異的に多いことが分かる。なお、総ベータグルカンの中で、特にβ−１，３−Ｄ−グルカンについては抗腫瘍効果が証明されている。従って、ハナビラタケは健康食品として優れた食材であるのみならず、抗腫瘍剤を製造するための貴重な原料である。特許文献２には、人工栽培に適した菌株ものとしてハナビラタケＭＨ−３（受託番号ＦＥＲＭ Ｐ−１７２２１）を発見し、大鋸屑を主成分とし、小麦粉を含有する培地に接種することにより、従来困難であったハナビラタケの人工栽培を可能としている。
【０００５】
【特許文献１】特開平１１−０５６０９８
【非特許文献２】特開２００２−１２５４６０
【発明の開示】
【発明が解決しようとする課題】
【０００６】
本発明は、極めて経済的かつ簡便にハナビラタケ菌床を提供することを目的としている。また、高温水蒸気処理および水洗といった従来の複雑かつ費用のかかる培地処理を必要とせずに、使用可能な培地の提供を目的としている。
さらにまた本発明は、癌の予防、治療、糖尿病、高血圧の治療に有効なβ−１，３−Ｄグルカンを大量に含有するハナビラタケを簡便に大量栽培できる菌床の提供を目的としている。
【課題を解決するための手段】
【０００７】
本発明は、広葉樹木材を主成分とする大鋸屑又はチップ、もしくはこれらを含む混合物にカラマツ等の針葉樹の抽出液を混合し、蒸煮乾燥処理をすることなく培地としたこと、好ましくは容器に充填した形態であることを特徴とするハナビラタケ人工栽培用の菌床を要旨とする。
【０００８】
また、本発明は、上記の菌床にハナビラタケの菌株を接種し、栽培してハナビラタケの子実体を収穫するハナビラタケの栽培方法を要旨とする。
【発明の効果】
【０００９】
本発明により、極めて経済的かつ簡便にハナビラタケ菌床を提供することができる。すなわち、高温水蒸気処理および水洗といった従来の複雑かつ費用のかかる培地処理を必要とせずに、使用可能なハナビラタケ菌床用の培地を提供することができる。
また、本発明により、癌の予防、治療、糖尿病、高血圧の治療に有効なβ−１，３−Ｄグルカンを大量に含有するハナビラタケを簡便に大量栽培できる菌床を提供することができる。
【作用】
【００１０】
本発明の菌床は、広葉樹木材を主成分とする大鋸屑又はチップ、もしくはこれらを含む混合物にカラマツ等の針葉樹の抽出液を混合したものを培地とすることにより、高温水蒸気処理および水洗といった従来の複雑かつ費用のかかる培地処理を必要とせずに、用いることができる。すなわち、発明者は広葉樹木材を使用することにより、これにカラマツ等の針葉樹の抽出液を混合し、上記の阻害物質除去操作を必要とせずに、ハナビラタケを順調に生育せしめることに成功した。これにより、極めて経済的かつ簡便にハナビラタケ菌床を作製することが可能になった。
本発明の菌床を用いて子実体を栽培することにより、癌の予防、治療、糖尿病、高血圧の治療に有効なβ−１，３−Ｄグルカンを大量に含有するハナビラタケを栽培することができる。
【発明を実施するための最良の形態】
【００１１】
本発明の菌床は、シイ、カシ、シデ、ナラなどの広葉樹木材の大鋸屑又はチップ、もしくはこれらを含む混合物を主成分とするものを培地の基材としている。増量剤として、適宜に他の木材或いは、有機物や無機物を含有することができる。
【００１２】
上記基材にカラマツ等の針葉樹の抽出液を混合して培地を構成ずる。培地には、ハナビラタケ（茸）の栽培に必要な栄養素を混合するのが好ましい。すなわち、これらの広葉樹木材を主成分とする大鋸屑又はチップ、もしくはこれらを含む混合物に、カラマツ等の針葉樹抽出液を混合し、栄養成分と、必要に応じてｐＨ調整成分を添加する。栄養成分としては、窒素、タンパク質、炭水化物、ミネラル等を含む物、例えばビールの絞りかすを添加する。
【００１３】
上記培地に接種するハナビラタケの種菌としては、例えば生物資源保存株４２００８０の菌糸を使用することができる。
【００１４】
培地は、好ましくは容器に充填した形態の菌床形成する。すなわち、上記で得た混合物を容器（例えば、ポリエチレン製の８００ｍＬ瓶）に充填し、蓋をした後、加熱滅菌する。滅菌した菌床を常温まで冷却したところで、ハナビラタケの種菌を接種する。接種後、室温２５°前後（２０℃〜３０℃）で２ヶ月前後（１．５ケ月〜２．５ケ月）のインキュベーションの後に原基が発生した。子実体原基がでてきたところで容器の蓋を取り去り、霧吹きした後普通紙をのせ、ポリプロピレンの袋を被せ、温度２０〜２４℃、湿度４０％の暗室に１〜２ヶ月間放置して生育させることによって、収穫可能なハナビラタケを得ることができる。
【実施例１】
【００１５】
本願発明の詳細を本実施例で説明する。本願発明は本実施例によって何ら限定されるものではない。
【００１６】
針葉樹チップ（杉、ヒノキ、松、ツガ、モミ）１０７ｇに常水８００ｍｌを加え、１２１℃で１時間加熱処理後、ガーゼでろ過し抽出液３６６ｍｌを得た。
広葉樹木材チップ（シイ、カシ、シデ、ナラ）５００ｇ（水分４０％）に小麦粉４００ｇを混合し、水分含量６３％になるよう常水添加量（５８８ｍｌ）を算出し、常水の１０％容量（５９ｍｌ）を上述抽出液で代替した。
次に、上記で得た混合物をポリエチレン製の８００ｍＬ瓶に充填し、蓋をした後、１２１℃の蒸気滅菌器に入れて１時間滅菌した。
本法では広葉樹を基材として利用しているため、針葉樹に含まれるハナビラタケ発育阻害物質を防ぐことができる。従って、ハナビラタケの栽培に用いられていたカラマツ大鋸屑の蒸煮乾燥処理を要しない。
滅菌した菌床を常温まで冷却したところで、PDA（ポテトデキストロースアガー）平板で培養したハナビラタケ  生物資源保存株420080の菌糸を無菌的に接種した。接種後、２２℃で２ヶ月のインキュベーションの後に原基が発生した。容器の蓋を取り去り、霧吹きした後普通紙をのせ、ポリプロピレンの袋を被せ、温度２０〜２４℃、湿度４０％の暗室に１〜２ヶ月間放置したところ、ハナビラタケを収穫することができた。
【００１７】
また、針葉樹チップ６８７ｇに常水１０Ｌを加え、沸騰湯浴中で２時間処理した。ガーゼでろ過し２Ｌの抽出液を得た。上記と同様に菌床を作成し、ハナビラタケの培養に供した。抽出方法の異なる針葉樹の抽出液を用いたハナビラタケの収量を表１（抽出方法の異なる抽出液によるハナビラタケの収穫期間）に示した。
【実施例２】
【００１８】
広葉樹基材に抽出液を添加したことによる効果を確認するため、培地に抽出液を添加しないで作製した菌床（培地Ａ）と、抽出液を添加して作製した菌床（培地Ｂ）を作製した。この両方の菌床を用いてハナビラタケの人工栽培を行い、その結果を比較した。なお、培地Ｂは実施例１で使用した培地と同じものであり、菌床の作製方法は何れも実施例１に記載したものと同様である。
＜培地（菌床）の組成＞
培地Ａ（抽出液添加なし）：小麦粉４００ｇ、広葉樹木材チップ５００ｇ、エビオス２４ｇ、ペプトン０．８ｇ、常水５８８ｍｌ。
培地Ｂ（抽出液あり）：小麦粉４００ｇ、広葉樹木材チップ５００ｇ、針葉樹エキス５９ｍｌ、常水５２９ｍｌ。
＜結果＞
栽培経過培地Ａによる栽培と、培地Ｂによる栽培における経過を以下の表２（ハナビラタケの収穫に及ぼす抽出液の影響）に示す。この結果から分かるとおり、菌接種より原基の発生期間は、培地Ａの場合ハナビラタケ原基は形成されなかった。培地Ｂを用いることによってのみ、ハナビラタケケ原基の形成及び子実体の収穫が可能になった。
【００１９】
表１、表２の栽培条件は以下のとおりである。
培地：広葉樹木材チップ（シイ、カシ、シデ、ナラ）、針葉樹チップ（杉、ヒノキ、松、ツガ、モミ）抽出液、小麦粉、エビオス、ペプトン
菌株接種後、原基発生までの温度：２０〜２２℃
湿度：４５〜５０％
子実体発生より収穫までの温度：１８〜２５℃
湿度：３８〜４５
針葉樹の抽出液：オートクレーブによる抽出操作を行った場合、沸騰湯浴中での抽出液に比較して、１．３倍程度ハナビラタケの収量が増加した。
【００２０】
【表１】
2005021121.tif 000002
【００２１】
【表２】
2005021121.tif 000003